(57)【特許請求の範囲】
【請求項１】
便器形状を有する便器外郭体と、便器外郭体に内装される便器内装装置を備え、機器ケースに便器内装機器である洗浄液吐出装置を設けて前記便器内装装置を構成し、便器外郭体に支持フレームを内装すると共に、該支持フレームに便器外郭体の後部の上部に位置する上フレーム部を設け、上フレーム部上に前記機器ケースを載置すると共に該上フレーム部と機器ケースをボルト及びナットにより締結する便器装置において、機器ケースの外側面にナットを位置決めしてナットを回転不能且つナットが上方に抜けるのが防止された状態で保持するナット保持凹部を設け、このナット保持凹部は側方にナットを外側方から挿入するための開口を有し、機器ケースの下面部におけるナット保持凹部に対応する箇所にボルト用孔を設け、上フレーム部に下方から挿通したボルトをボルト用孔に通し、該ボルトを前記ナット保持凹部に側方の開口から挿入して保持したナットに螺合したことを特徴とする便器装置。
【請求項２】
ナット保持凹部の下方にワッシャを保持するためのワッシャ保持凹部を設けたことを特徴とする請求項１に記載の便器装置。
【請求項３】
ナット保持凹部の側方に洗浄液吐出装置の給水路を構成するフレキシブルな給水管を配置するためのスペースを形成したことを特徴とする請求項１又は請求項２記載の便器装置。
【発明の詳細な説明】
【技術分野】
【０００１】
本発明は便器外郭体の後部に便器内装装置を設けた便器装置に関する。
【背景技術】
【０００２】
従来より、便器の後部に洗浄水吐出装置等の便器内装装置を設けた便器装置が利用されている（例えば特許文献１）。
【０００３】
また、近年では、便器形状を有する便器外郭体２の後部に支持フレーム４を内装し、該支持フレーム４の上部に便器内装装置２３を取り付けた便器装置１が利用されている。この便器装置１は、図１４に示すように便器外郭体２をボウル部を備えた前パーツＦと後パーツＲとで構成してある。便器内装装置２３は機器ケース２４に便器内装機器を設けたものであり、図１５に示すように後パーツＲ内の上部に配設される。機器ケース２４の外側面には縦長のボルト収納凹部７６が形成されている。機器ケース２４の下面のボルト収納凹部７６に対応する箇所にはボルト用孔７７が穿設されている。
【０００４】
また、便器外郭体２に内装した支持フレーム４の上端部には後パーツＲ内の上部に位置する上フレーム部１６が設けてあり、便器内装装置２３の機器ケース２４は上フレーム部１６上に載置される。そして、ボルト７８をボルト用孔７７の上方のボルト収納凹部７６内からボルト用孔７７及び上フレーム部１６に挿通し、該ボルト７８の上フレーム部１６から下方に突出した雄ねじ部に下方からナット７９を螺合することにより、機器ケース２４と上フレーム部１６が締結される。
【０００５】
ここで、上記便器装置１にあっては、機器ケース２４と上フレーム部１６をボルト７８及びナット７９により締結する際に、長いボルト７９を狭いボルト収納凹部７６に入れてボルト用孔７７に挿通させる必要があり、作業が難しく面倒である。また、機器ケース２４を上フレーム部１６から取り外す際には、ボルト用孔７７に挿通させたボルト７９の頭部を狭いボルト収納凹部７６内において引き上げてこれをボルト収納凹部７６から取り出す必要があり、この作業も難しく面倒である。また、これらの作業は特に便器装置１を狭いトイレ室に設置したまま行う場合には困難な作業となり、作業負担が大きくなる。
【０００６】
さらに、上記便器内装装置２３のメンテナンス等を行うにあたって、機器ケース２４を上フレーム部１６に取り付けたり取り外す場合には、ボルト収納凹部７６に側方から指を入れて、ボルト７９をボルト用孔７７に挿入したり、引き抜いたりする必要がある。従って、ボルト収納凹部７６の側方のスペースに便器付属品を配設した場合には、便器付属品が邪魔になってボルト収納凹部７６に指を入れることが難しくなり、また、ボルト収納凹部７６に指を入れることができない場合には、便器付属品をその都度取り外す必要がある。
【特許文献１】特開２００８−２１３８号公報
【発明の開示】
【発明が解決しようとする課題】
【０００７】
本発明は上記の事情に鑑みてなされたものであって、支持フレームに便器内装装置を取り付ける作業や取り外す作業を容易に行うことができる便器装置を提供することを課題とする。
【課題を解決するための手段】
【０００８】
上記課題を解決するために本発明の請求項１に係る便器装置は以下の構成を有している。
便器形状を有する便器外郭体２と、便器外郭体２に内装される便器内装装置２３を備える。機器ケース２４に便器内装機器２５である洗浄液吐出装置３０を設けて前記便器内装装置２３を構成する。便器外郭体２に支持フレーム４を内装すると共に、該支持フレーム４に便器外郭体２の後部の上部に位置する上フレーム部１６を設ける。上フレーム部１６上に前記機器ケース２４を載置すると共に該上フレーム部１６と機器ケース２４をボルト６３及びナット６４により締結する便器装置である。機器ケース２４の外側面にナット６４を位置決めしてナット６４を回転不能且つナット６４が上方に抜けるのが防止された状態で保持するナット保持凹部６５を設け、このナット保持凹部６５は側方にナット６４を外側方から挿入するための開口を有する。機器ケース２４の下面部におけるナット保持凹部６５に対応する箇所にボルト用孔７１を設ける。上フレーム部１６に下方から挿通したボルト６３をボルト用孔７１に通し、該ボルト６３を前記ナット保持凹部６５に側方の開口から挿入して保持したナット６４に螺合する。
【０００９】
また、請求項２は請求項１において以下の構成を有している。ナット保持凹部６５の下方にワッシャ７２を位置決めして保持するためのワッシャ保持凹部６９を設ける。
【００１０】
また、請求項３は請求項１又は請求項２において以下の構成を有している。ナット保持凹部６５の側方に洗浄液吐出装置３０の給水路３２を構成するフレキシブルな給水管３８を配置するためのスペースを形成する。
【発明の効果】
【００１１】
請求項１に係る発明では、上フレーム部に下方から挿通したボルトを機器ケースの下面部に設けたボルト用孔に通し、このボルトをナット保持凹部に側方の開口から挿入して回転不能且つ上方に抜けるのが防止された状態で位置決め保持したナットに螺合し、これにより機器ケースを上フレーム部に固着できる。従って、前記ボルトを上フレーム部の下方の比較的広い空間から上フレーム部及び機器ケースに容易に挿通することができ、且つ、上フレーム部の下方の広い空間から容易に取り外すことができ、支持フレームに便器内装装置を取り付ける作業や取り外す作業を容易に行うことができる。
【００１２】
また請求項２に係る発明では、請求項１に係る発明の効果に加えて、ワッシャ保持凹部に収納保持したワッシャを介して上記ボルト及びナットによる締結を行うことができる。
【００１３】
また請求項３に係る発明では、請求項１又は請求項２に係る発明の効果に加えて、ナット保持凹部の側方のスペースに洗浄液吐出装置の給水路を構成するフレキシブルな給水管を配置して、当該スペースを有効に利用できる。しかも、本発明では、ナットがナット保持凹部によって保持されるので、作業者はナットを保持することなく、上フレーム部の下方からボルトを操作して、機器ケースを上フレーム部に取り付けたり、取り外したりできる。従って、上記フレキシブルな給水管が邪魔になってナットを保持することが難しい場合やナットを保持することができない場合にも、フレキシブルな給水管を取り外すことなく、機器ケースを上フレーム部に取り付けたり、取り外したりすることが可能となり、便器内装装置の取り付けや取り外しが容易になる。
【発明を実施するための最良の形態】
【００１４】
以下、本発明を添付図面に示す実施形態に基づいて説明する。図１乃至図１３に示す本実施形態の便器装置１は、ボウル部３を備えた合成樹脂製の便器外郭体２と、便器外郭体２に内装されて便器外郭体２を支持・補強する金属製の支持フレーム４を備えている。
【００１５】
図５に示すように、支持フレーム４は、床に設置される平面視環状の下フレーム材５と、下フレーム材５の後部の両側に立設した後フレーム材６を備えている。各後フレーム材６は角状パイプにより構成してあり、各後フレーム材６の上端部は前方に向けて折曲されて前後に長い上フレーム部１６を構成している。
【００１６】
下フレーム材５の後部にはトラップケース７が取り付けられる。トラップケース７に内装されるトラップはターントラップ方式のもので、図４に示すようにフレキシブルなトラップ筒８により構成される。トラップ筒８の一端はボウル部３の下部から後方に突出する排水筒部９に接続され、他端は自由端となる。
【００１７】
トラップ筒８はトラップケース７に設けたモータにより回動させることで、自由端側の開口を上向きとしたトラップ構造を形成する状態と、自由端側の開口を下向きとして前記トラップ構造を解除して排水される状態とを選択できるようになっている。トラップケース７の下端部は床に設けた排出孔（図示せず）に連通接続され、前述のトラップ筒８のトラップ構造を解除することで、ボウル部３内の溜め水はトラップ筒８及びトラップケース７を介して排出孔から排出される。
【００１８】
図２に示すように便器外郭体２は後方に開口する前パーツＦと前方に開口する後パーツＲで構成される。
【００１９】
便器外郭体２の前側の外郭を構成する前パーツＦは、平面視面略Ｕ字状のスカート部１０と、スカート部１０内に位置するボウル部３（図４参照）と、ボウル部３上に位置するリム部１１（図８参照）とで構成され、これら合成樹脂製のスカート部１０、ボウル部３、リム部１１は溶着又は接着により固着一体化してある。
【００２０】
ボウル部３の外側を覆うスカート部１０の下端部の内側には下フレーム材５の前部が嵌め込まれ、この状態でスカート部１０をねじ具等により支持フレーム４に固着することで前パーツＦは支持フレーム４に対して固着される。
【００２１】
リム部１１は図４に示すように前パーツＦの上面を構成して便座１３を載置するための便座載置部１２を備えている。
【００２２】
図７のように便器外郭体２の後部の上部に内装される便器内装装置２３は、温水洗浄装置２７、脱臭装置２６、洗浄液吐出装置３０、制御回路２８等の便器内装機器２５を一群にまとめて機器ケース２４に設けることで構成される。
【００２３】
一群の便器内装機器２５のうち、洗浄液吐出装置３０はボウル部３内に水又は水に界面活性剤を含む洗剤を混合してなる洗浄液を選択的に吐出してボウル部３の内面を洗浄するものであり、便器外郭体２の側端部に内装される。
【００２４】
図４に示すように、洗浄液吐出装置３０は、ボウル部３に水を供給する給水路３２と、給水路３２の下流側端部に設けた混合装置３３を備えている。
【００２５】
給水路３２は図示しない水道管に接続される。給水路３２の上流部には電磁弁からなる給水制御弁３７を設けてあり、該給水制御弁３７を開閉することにより給水路３２への水の供給の有無が切り替えられる。
【００２６】
図９に示すように、混合装置３３は、給水路３２の下流側端部を構成する水流路部３９と、循環洗剤路４５の一部を構成する循環流路部４３と、循環流路部４３と水流路部３９を連通接続する分岐流路部４４と、循環流路部４３に設けた循環ポンプ５３とをユニット化して構成され、機器ケース２４に着脱自在に取り付けられる。
【００２７】
水流路部３９は、上流側から順に設けた、接続ノズル４６、エジェクタ管４７、吐出ノズル４８により構成される。
【００２８】
エジェクタ管４７の長さ方向の中間部は他部よりも流路面積を小さくした小径部４９で構成され、小径部４９には洗剤混入口部５５が設けてある。エジェクタ管４７の小径部４９よりも上流側を構成する上流部５０には先細となった接続ノズル４６の先端部を接続してある。接続ノズル４６の後端部には給水路３２の一部を構成するフレキシブルな給水管３８の下流端が着脱自在に接続される。
【００２９】
エジェクタ管４７の上流部５０の接続ノズル４６の先端近傍部分には吸気口部５２を設けてある。吸気口部５２には一端を大気に開放した空気供給路５１の他端が接続される。
【００３０】
小径部４９の洗剤混入口部５５には上下に長い分岐流路部４４を接続してある。分岐流路部４４の上端は循環流路部４３に一体に接続してあり、循環流路部４３の上流端は循環ポンプ５３の吐出側に接続してある。循環ポンプ５３の吸込側と循環流路部４３の下流端は循環洗剤路４５の主流路部５６によって連通接続され、該主流路部５６と循環流路部４３によって循環洗剤路４５が構成される。
【００３１】
主流路部５６の途中には洗剤タンク４１が設けられ、循環ポンプ５３を運転することで洗剤タンク４１内の洗剤が循環洗剤路４５を循環するようになっている。
【００３２】
また、分岐流路部４４には弁５７を設けてある。弁５７は循環ポンプ５３の運転時には開き、停止時には閉じるように設定してあり、これにより循環ポンプ５３の停止時において循環洗剤路４５から水流路部３９に洗剤が漏れ出ることが防止される。
【００３３】
エジェクタ管４７の小径部４９よりも下流側を構成する下流部５４は、混合装置３３の吐出口を構成する吐出ノズル４８の後端部に接続してある。吐出ノズル４８の先端部はボウル部３の後部に設けた給水口内に着脱自在に嵌め込まれ、ボウル部３内に臨む。
【００３４】
上記洗浄液吐出装置３０を用いてボウル部３に水を供給する場合は、循環ポンプ５３を停止した状態で給水制御弁３７を開く。これにより、水道管からの水が給水路３２を経て吐出ノズル４８の先端からボウル部３内へと水が吐出される。また、この時、先細となった接続ノズル４６からエジェクタ管４７の上流部５０に水が流れこむことにより接続ノズル４６の先端付近に負圧が発生し、これにより外部の空気が空気供給路５１及び吸気口部５２を経てエジェクタ管４７を流れる水に混入される。そして、この気泡を混合した水は、エジェクタ管４７において大径の上流部５０から小径部４９を経て大径の下流部５４へ流れる際に加圧・減圧され、この圧力変化に伴い水に含まれる気泡が剪断され微小化する。また、この気泡は下流部５４に設けたメッシュからなる整流板５８にて細分化されてされに微小化され、この後、ボウル部３に吐出される。
【００３５】
また、上記洗浄液吐出装置３０を用いてボウル部３に洗剤を混合した水を供給する場合は、循環ポンプ５３を運転した状態で給水制御弁３７を開く。この場合も上記と同様に水道管から給水路３２に流れこんだ水には吸気口部５２から空気が混入されるが、このとき小径部４９を流れる水には循環洗剤路４５を循環する洗剤の一部が分岐流路部４４及び洗剤混入口部５５を経て混入される。従って、この場合は、水に洗剤を混合し且つ微小化された気泡を含む洗浄液がボウル部３に吐出される。
【００３６】
上記のように微小気泡を含む水又は洗浄液をボウル部３に吐出した場合、この水又は洗浄液はボウル部３の上部内面に略水平に吐出されることでボウル部３の内面に沿って周回しつつ汚れを落としていく。このとき水又は洗浄液に含まれる微小気泡がボウル部３の内面の衝突した際に高周波振動を引き起こし、これによりボウル部３の内面を効率良く洗浄できる。また、ボウル部３に吐出されるのが洗剤を含む洗浄液の場合には、洗剤が有する洗浄効果によりボウル部３の内面を一層綺麗に洗浄できる。
【００３７】
上記便器内装装置２３の前部は前パーツＦの上部に挿入され、この状態で機器ケース２４は支持フレーム４の後部両側に立設した後フレーム材６の上フレーム部１６上に載置され、上フレーム部１６に固着される。
【００３８】
上記により、便器内装装置２３の機器ケース２４上に設けた温水洗浄装置２７の局部洗浄ノズル２９や脱臭装置２６のダクト３１の端部開口はボウル部３内に臨む。また、上記のように便器内装装置２３を前パーツＦに挿入することで、混合装置３３の前端部に設けた吐出ノズル４８がボウル部３の給水口に嵌め込まれ、ボウル部３内に連通する。
【００３９】
後パーツＲは、上カバー２０及び両側の側カバー２１及び背面カバー２２で構成され、該後パーツＲの上部に便器内装装置２３の後部が収納される。
【００４０】
上カバー２０は機器ケース２４の後部に着脱自在に取り付けられ、該上カバー２０により便器内装装置２３の上側が覆われる。また、上カバー２０には便座１３や便蓋３４が回動自在に取り付けられる。
【００４１】
背面カバー２２は支持フレーム４や上カバー２０に着脱自在に取り付けられ、該背面カバー２２により機器ケース２４や機器ケース２４の下方に位置するトラップケース７の後方が覆われる。
【００４２】
両側の側カバー２１は機器ケース２４や前パーツＦに着脱自在に取り付けられ、各側カバー２１により機器ケース２４やトラップケース７の夫々の側方が覆われる。
【００４３】
また、既述の洗剤タンク４１は、図１１に示すように、機器ケース２４の後部側面に着脱自在に取付けたホルダ１５に保持され、洗浄液吐出装置３０とは反対側の側端部に配設される。
【００４４】
図１２に示すように機器ケース２４の側面には、洗剤タンク４１の下流側と上流側の夫々に接続される接続口１４ａ、１４ｂが前後方向に並べて突設してある。接続口１４ａ、１４ｂは循環洗剤路４５の両端部を構成するものであり、図１１に示すようにホルダ１５に設けた開口１８を介して外側方に露出している。
【００４５】
洗剤タンク４１には洗剤補給口部とキャップ取付口部とが設けてあり、洗剤補給口部には開閉自在な蓋１９が取り付けてある。
【００４６】
また、キャップ取付口部にはキャップ６２が着脱自在に取り付けてある。キャップ６２には共に逆Ｌ状をした下流側接続管１７ａ及び上流側接続管１７ｂが装着してあり、キャップ６２をキャップ取付口部に取り付けることで、下流側接続管１７ａ及び上流側接続管１７ｂの夫々の縦管部がキャップ取付口部から洗剤タンク４１内に差し込まれると共に、下流側接続管１７ａ及び上流側接続管１７ｂの夫々の横管部１７ａ１、１７ｂ１が洗剤タンク４１の上端部から便器外郭体２内側の側方に向けて突出する。
【００４７】
洗剤タンク４１は外側方からホルダ１５内に嵌め込んでホルダ１５に支持させると共に横管部１７ａ１、１７ｂ１を接続口１４ａ、１４ｂの夫々に接続することで取り付けられ、これにより洗剤タンク４１は循環洗剤路４５の途中に設けられる。
【００４８】
洗剤タンク４１が設けられる側の側カバー２１の上部には開口部２１ａが設けてあり、上記洗剤タンク４１が側カバー２１の開口部２１ａから外側方に突出し、この突出部分に前述の洗剤補給口部及び蓋１９が位置する。
【００４９】
ホルダ１５にはタンクカバー３５が着脱自在に取り付けられ、該タンクカバー３５によりホルダ１５及び洗剤タンク４１の便器外郭体２の側面部から突出した部分が覆われる。
【００５０】
ここで、便器内装装置２３の機器ケース２４は支持フレーム４の両後フレーム材６の上フレーム部１６上に載置され、ボルト６３及びナット６４により上フレーム部１６に固着されるものであり、以下、この構造につき詳述する。
【００５１】
図１並びに図１２及び図６に示すように、機器ケース２４の後部の両側の側カバー２１に対向する両外側面には、ナット６４を回転不能に位置決め保持するナット保持凹部６５と、該ナット保持凹部６５の下方に位置して連通し後述のワッシャ７２を位置決め保持するワッシャ保持凹部６９が形成してある。
【００５２】
機器ケース２４の両外側面に形成したナット保持凹部６５及びワッシャ保持凹部６９は同様の構成を有するものである。従って、以下の説明では図１２に示す洗剤タンク４１側の側面に設けたナット保持凹部６５及びワッシャ保持凹部６９についてのみ説明し、図６に示す他方（洗浄液吐出装置３０側）の側面に設けたナット保持凹部６５及びワッシャ保持凹部６９の説明は省略する。
【００５３】
図１２に示すナット保持凹部６５は機器ケース２４の上カバー２０よりも下方に突出した下部の外側面に設けられるものであり、機器ケース２４の外側面に形成した凹部６６の下部の奥面から突出するリブ６７により構成される。リブ６７は凹部６６の下底面の上方において前後に離間して二条設けてあり、両リブ６７は対称形状である。
【００５４】
両リブ６７は、上下に長い縦リブ６７ａと、縦リブ６７ａの上端から他方のリブ６７側に突出する上横リブ６７ｂと、縦リブ６７ａの下端から他方のリブ６７と反対側に向けて突出する下横リブ６７ｃとで構成してあり、両リブ６７の間に形成された溝部がナット保持凹部６５となっている。
【００５５】
両リブ６７の対向する縦リブ６７ａ同士の間隔は六角ナットからなるナット６４の平径と略同じである。また、凹部６６の奥面により構成されるナット保持凹部６５の奥面中央部には外側方に向けて当たり部６８を突設してある。
【００５６】
ナット保持凹部６５の上底面は両リブ６７の上横リブ６７ｂで構成され、両上横リブ６７ｂの間には隙間７０が形成されている。隙間７０の前後長さ、即ち両上横リブ６７ｂの間隔はボルト６３の雄ねじ部６３ａよりも長くなっている。
【００５７】
両下横リブ６７ｃの縦リブ６７ａと反対側の端部は凹部６６の内側面に接続されており、これにより凹部６６の下底面及び両内側面と両下横リブ６７ｃに囲まれてなるワッシャ保持凹部６９が形成される。
【００５８】
ワッシャ保持凹部６９の前後幅はナット保持凹部６５の前後幅よりも長く、ワッシャ７２の外径と略同じである。また、ワッシャ保持凹部６９の上下長さ、即ち、両下横リブ６７ｃと凹部６６の下底面との間隔は、ワッシャ７２の厚みと略同じ寸法である。
【００５９】
上記ナット保持凹部６５及びワッシャ保持凹部６９の開口側の側方は便器付属品を配設するためのスペースとして利用されるものである。具体的には、機器ケース２４の洗剤タンク４１側の側面に設けたナット保持凹部６５及びワッシャ保持凹部６９の側方には、便器付属品としてホルダ１５及び洗剤タンク４１が配設され、ホルダ１５によりナット保持凹部６５及びワッシャ保持凹部６９の開口が塞がれる。
【００６０】
また、機器ケース２４の洗浄液吐出装置３０側の側面に設けたナット保持凹部６５及びワッシャ保持凹部６９の側方には、図６に示すように洗浄液吐出装置３０の給水路３２の混合装置３３よりも上流側の部分を構成するフレキシブルな給水管３８を配設するためのスペースとして利用される。
【００６１】
図１２に示すように機器ケース２４の下面部の各ナット保持凹部６５に対応する箇所にはボルト用孔７１を形成してある。各ボルト用孔７１の上端は対応する凹部６６の下底面で構成されたワッシャ保持凹部６９の下底面より開口し、ナット保持凹部６５の下方に位置している。
【００６２】
また、両後フレーム材６の上端部に設けた上フレーム部１６のボルト用孔７１に対応する箇所には上下に貫通するボルト挿通孔（図示せず）を穿設してある。
【００６３】
上記機器ケース２４をボルト６３及びナット６４を用いて両後フレーム材６の上フレーム部１６に固定する場合、図１に示すようにワッシャ７２を用いずに固定する方法と、図１３に示すようにワッシャ７２を用いて固定する方法のいずれかを選択できるようになっている。
【００６４】
まず、ワッシャ７２を用いずに機器ケース２４を上フレーム部１６に固定する方法の一例を示す。まず、機器ケース２４両側のボルト用孔７１を形成した部分を支持フレーム４の両後フレーム材６の上フレーム部１６上に載置して、機器ケース２４の両側のボルト用孔７１を夫々対応する上フレーム部１６に設けたボルト挿通孔に連通させると共に、各ナット保持凹部６５に外側方からナット６４を挿入する。
【００６５】
上記のようにナット６４をナット保持凹部６５に挿入すると、ナット６４はワッシャ保持凹部６９の下底面上に載置され、且つ、上部の前後両端面が両縦リブ６７ａに当接してナット６４は回転不能となる。また、両上横リブ６７ｂがナット６４の上方に位置し、両上横リブ６７ｂによってナット６４が上方へ抜け出ることが防止された状態となる。さらに上記ナット６４の挿入は、ナット６４の端面が当たり部６８に当接するまで行われるものであり、このようにナット６４の端面を当たり部６８に当接した状態では、ナット６４の雌ねじ部とボルト用孔７１の位置が合い連通する。
【００６６】
そして、上記の状態で、図１に示すように各上フレーム部１６の下方から六角ボルトからなるボルト６３の雄ねじ部６３ａをボルト挿通孔及びボルト用孔７１に通し、該雄ねじ部６３ａをナット保持凹部６５に保持されたナット６４に螺合することで、機器ケース２４と両上フレーム部１６が締結される。
【００６７】
なお、ナット６４より上方に突出した雄ねじ部６３ａは両上横リブ６７ｂの間に形成された隙間７０に挿入されるものであり、上記ボルト６３の雄ねじ部６３ａは両上横リブ６７ｂに当たることはない。
【００６８】
次にワッシャ７２を用いて機器ケース２４を上フレーム部１６に固定する方法の一例を示す。
【００６９】
まず、上記ワッシャ７２を用いる場合と同様に機器ケース２４を支持フレーム４の両上フレーム部１６上に載置すると共に、各ワッシャ保持凹部６９に外側方からワッシャ７２を挿入し、且つ、各ワッシャ７２の上方に位置する各ナット保持凹部６５に外側方からナット６４を挿入する。
【００７０】
上記のようにワッシャ７２をワッシャ保持凹部６９に挿入保持すると共に、ナット６４をナット保持凹部６５に挿入すると、ナット６４はワッシャ保持凹部６９に挿入したワッシャ７２上に載置され、且つ、上記ワッシャ７２を用いない場合と同様に前後両端面が両縦リブ６７ａに当接して回転不能となり、且つ、両上横リブ６７ｂによってナット６４が上方へ抜け出ることが防止された状態となる。
【００７１】
また、この場合、ワッシャ７２の挿入はワッシャ保持凹部６９の奥面に当たるまで行われ、これによりワッシャ７２の孔はボルト用孔７１に連通する。さらにナット６４の挿入はナット６４の端面が当たり部６８に当接するまで行われ、これによりナット６４の雌ねじ部はワッシャ７２の孔を介してボルト用孔７１に連通する。
【００７２】
そして、上記の状態で、図１３に示すように各上フレーム部１６の下方から六角ボルトからなるボルト６３の雄ねじ部６３ａをボルト挿通孔及びボルト用孔７１、ワッシャの中央孔に通し、該雄ねじ部６３ａをナット保持凹部６５に保持されたナット６４に螺合することで、機器ケース２４と両上フレーム部１６が締結される。なお、この場合も、ナット６４より上方に突出した雄ねじ部６３ａは両上横リブ６７ｂの間に形成された隙間７０に挿入され、雄ねじ部６３ａが両上横リブ６７ｂに当たらないようになっている。
【００７３】
以上説明した本実施形態の便器装置１にあっては、上フレーム部１６に下方から挿通したボルト６３を機器ケース２４の下面部に設けたボルト用孔７１を通し、このボルト６３をナット保持凹部６５に位置決め保持したナット６４に螺合し、これにより機器ケース２４を上フレーム部１６に固着できる。つまり、この場合、ボルト６３は上フレーム部１６の下方の広い空間から上フレーム部１６及び機器ケース２４に通すことができ、従来のように狭いボルト収納凹部７６に長いボルト７８を挿入してボルト用孔７７に挿通させるという煩雑な作業を行う必要がなく、ボルト６３を簡単に上フレーム部１６や機器ケース２４に通すことができ、便器内装装置２３の取り付け作業が容易になる。
【００７４】
また、上記便器内装装置２３はメンテナンスや交換等を行う場合があり、このときには便器装置１を設置した状態のままで便器内装装置２３を便器外郭体２から取り外すことが可能となっている。
【００７５】
便器内装装置２３を取り外すには、両側の側カバー２１を取り外し、これにより形成された便器外郭体２の開口部７３から治具を入れ、当該治具によりボルト６３を操作して、上記ボルト６３及びナット６４による機器ケース２４と両側の上フレーム部１６の締結を解除し、この後、便器内装装置２３を取り出せば良い。なお、本実施形態では機器ケース２４に上カバー２０を取り付けたままの状態で便器外郭体２から便器内装装置２３を取り出せるようになっている。
【００７６】
ここで、上記ボルト６３は上フレーム部１６の下方の広い空間から取り外すことができ、便器内装装置２３の取り外し作業が容易になる。
【００７７】
また、ナット７９はナット保持凹部６５によって保持されるので、作業者はナット７９を保持することなく、上フレーム部１６の下方からボルト６３を操作して、機器ケース２４を上フレーム部１６に取り付けたり、取り外したりできる。従って、本実施形態のようにナット保持凹部６５の側方にホルダ１５のような便器付属品が配置されて、ナット７９が便器付属品によって覆われる場合にも、便器付属品を取り付けたままで機器ケース２４を上フレーム部１６に取り付けたり、取り外したりすることができ、便器内装装置２３の取り付けや取り外しを容易に行うことができる。
【００７８】
また、上記取り外した便器内装装置２３はナット６４をナット保持凹部６５に保持した状態でトイレ室外等に移動することができ、ナット６４の紛失を防止できる。
【００７９】
さらに、ナット保持凹部６５の開口を機器ケース２４に取り付けたホルダ１５からなる便器付属品によって覆い、これら便器付属品によってナット６４が抜け出ることを防止することも可能となり、この場合は上記便器内装装置２３の移動時においてナット６４が便器外郭体２のボウル部３等に落下することを防止できる。
【図面の簡単な説明】
【００８０】
【図１】本発明の実施の形態の一例の便器装置を示し、側カバー、ホルダ、洗剤タンク、タンクカバーの図示を省略した要部斜視図である。
【図２】同上の便器装置の斜視図である。
【図３】同上の便器装置の側面図である。
【図４】同上の便器装置を模式的に示す説明図である。
【図５】同上の側カバーを取り外した便器装置の斜視図である。
【図６】同上の側カバー及びスカート部の図示を省略した要部斜視図である。
【図７】同上のリム部及び上カバーの図示を省略した要部斜視図である。
【図８】同上の上カバーの図示を省略した要部斜視図である。
【図９】同上の洗浄液吐出装置の断面図である。
【図１０】同上のホルダの取付け前の斜視図である。
【図１１】同上のホルダに洗剤タンク及びタンクカバーを取付ける前の斜視図である。
【図１２】図１のナット及びボルトを取り外した状態を示す斜視図である。
【図１３】ワッシャを用いて機器ケースを後フレーム材に取け付けた状態を示す斜視図である。
【図１４】従来の便器装置の側面図である。
【図１５】同上の便器装置の要部斜視図である。
【符号の説明】
【００８１】
１  便器装置
２  便器
１６  上フレーム部
２３  便器内装装置
２４  機器ケース
２５  便器内装機器
６３  ボルト
６４  ナット
６５  ナット保持凹部
６９  ワッシャ保持凹部
７１  ボルト用孔
７２  ワッシャ
【図１】
0005027721.tif 000002
【図２】
0005027721.tif 000003
【図３】
0005027721.tif 000004
【図４】
0005027721.tif 000005
【図５】
0005027721.tif 000006
【図６】
0005027721.tif 000007
【図７】
0005027721.tif 000008
【図８】
0005027721.tif 000009
【図９】
0005027721.tif 000010
【図１０】
0005027721.tif 000011
【図１１】
0005027721.tif 000012
【図１２】
0005027721.tif 000013
【図１３】
0005027721.tif 000014
【図１４】
0005027721.tif 000015
【図１５】
0005027721.tif 000016